【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】  第１の動画データを取得する第１取得手段と、
第２の動画データを取得する第２取得手段と、
前記第１の動画データと前記第２の動画データとの撮影間隔が所定時間内にあるか否かを判定する撮影間隔判定手段と、
前記撮影間隔判定手段により所定時間内にあると判定された場合には、前記第１の動画データと前記第２の動画データとを結合して１つの動画データに編集する編集手段と、
を備えたことを特徴とする動画像処理装置。
【請求項２】 前記撮影間隔判定手段は、
前記第１の動画データと前記第２の動画データとの撮影時刻の間隔が所定時間内にあるか否かを判定する時刻判定手段を含み、
前記編集手段は、
前記時刻判定手段により所定時間内にあると判定された場合に前記第１の動画データと前記第２の動画データとを結合して１つの動画データに編集することを特徴とする請求項１記載の動画像処理装置。
【請求項３】  前記時刻判定手段は、
前記第１の動画データの撮影終了時刻と前記第２の動画データの撮影開始時刻とを取得し、この取得された２つの撮影時刻の間隔が所定時間内か否かを判定することを特徴とする請求項２記載の動画像処理装置。
【請求項４】  前記所定時間は、
ユーザによって任意に設定することができることを特徴とする請求項１乃至３の何れかに記載の動画像処理装置。
【請求項５】  前記編集手段は、
前記第１の動画データの後に前記第２の動画データを結合することを特徴とする請求項１乃至４の何れかに記載の動画像処理装置。
【請求項６】  前記第１の動画データと前記第２の動画データとを比較するデータ比較手段と、
前記データ比較手段による比較結果に基づいて、前記第１の動画データと前記第２の動画データとが一致するか否かを判定する判定手段と、
を設け、
前記編集手段は、
前記判定手段により一致すると判定され、かつ、前記撮影間隔判定手段により所定時間内と判定された場合は、前記第１の動画データと前記第２の動画データとを結合して１つの動画データに編集することを特徴とする請求項１乃至５の何れかに記載の動画像処理装置。
【請求項７】  前記データ比較手段は、
前記第１の動画データの最終フレームデータと前記第２の動画データの開始フレームデータとを比較することを特徴とする請求項６記載の動画像処理装置。
【請求項８】 前記第１取得手段は、第１の動画ファイルを取得し、
前記第２取得手段は、第２の動画ファイルを取得し、
前記撮影間隔判定手段は、前記第１の動画ファイルと前記第２の動画ファイルとの撮影間隔が所定時間内にあるか否かを判定し、
前記編集手段は、前記第１の動画ファイル内の動画データと前記第２の動画ファイル内の動画データとを結合して１つの動画ファイルに編集することを特徴とする請求項１乃至７の何れかに記載の動画像処理装置。
【請求項９】  動画データを記録する記録媒体を備え、
前記第１取得手段及び前記第２取得手段は、
前記記録媒体に記録されている動画データの中から動画データを取得することを特徴とする請求項１乃至８の何れかに記載の動画像処理装置。
【請求項１０】  撮影対象物を撮影する撮像手段と、
該撮影手段によって撮影された動画データを記録媒体に記録する第１の記録手段と、を備え、
前記第１取得手段は、
前記第１の記録手段によって記録媒体に記録された動画データの中から動画データを取得し、
前記第２取得手段は、
前記撮像手段によって得られ、かつ、前記第１の記録手段によって前記記録媒体に記録されていない動画データを取得することを特徴とする請求項１乃至７の何れかに記載の動画像処理装置。
【請求項１１】  撮影対象物を撮影する撮像手段と、
該撮像手段によって撮影された動画データを記録媒体に記録する第１の記録手段と、を備え、
前記第１取得手段及び前記第２取得手段は、
前記撮像手段によって得られ、かつ、前記第１の記録手段によって前記記録媒体に記録されていない動画データの中から動画データを取得することを特徴とする請求項１乃至７の何れかに記載の動画像処理装置。
【請求項１２】  前記撮像手段による動画撮影が終了してから所定時間が経過したか否かを判断する経過判断手段を設け、
該経過判断手段により所定時間が経過したと判断した場合には、
前記第１の記録手段は、
前記撮像手段で得られた動画データを前記記録媒体に記録することを特徴とする請求項１１記載の動画像処理装置。
【請求項１３】  前記編集手段によって編集された結合動画データを第２の記録手段によって前記記録媒体に記録するとともに、前記記録媒体から取得され、かつ、結合の対象となった編集前の動画データを該記録媒体から消去する消去手段を備えたことを特徴とする請求項９又は１０記載の動画像処理装置。
【請求項１４】  第１の動画データを取得する処理と、
第２の動画データを取得する処理と、
前記第１の動画データと前記第２の動画データとの撮影間隔が所定時間内にあるか否かを判定する処理と、
この判定する処理により所定時間内にあると判定された場合には、前記第１の動画データと前記第２の動画データとを結合して１つの動画データに編集する処理と、
を含み、コンピュータにより動画像の処理を実行することを特徴とするプログラム。
【手続補正２】
【補正対象書類名】明細書
【補正対象項目名】０００７
【補正方法】変更
【補正の内容】
【０００７】
【課題を解決するための手段】
上記目的達成のため、請求項１記載の発明による動画像処理装置は、第１の動画データを取得する第１取得手段と、
第２の動画データを取得する第２取得手段と、
前記第１の動画データと前記第２の動画データとの撮影間隔が所定時間内にあるか否かを判定する撮影間隔判定手段と、
前記撮影間隔判定手段により所定時間内にあると判定された場合には、前記第１の動画データと前記第２の動画データとを結合して１つの動画データに編集する編集手段と、
を備えたことを特徴とする。
また、例えば、請求項２に記載されているように、前記撮影間隔判定手段は、
前記第１の動画データと前記第２の動画データとの撮影時刻の間隔が所定時間内にあるか否かを判定する時刻判定手段を含み、
前記編集手段は、
前記時刻判定手段により所定時間内にあると判定された場合に前記第１の動画データと前記第２の動画データとを結合して１つの動画データに編集するようにしてもよい。
【手続補正３】
【補正対象書類名】明細書
【補正対象項目名】０００８
【補正方法】変更
【補正の内容】
【０００８】
また、例えば、請求項３に記載されているように、前記時刻判定手段は、
前記第１の動画データの撮影終了時刻と前記第２の動画データの撮影開始時刻とを取得し、この取得された２つの撮影時刻の間隔が所定時間内か否かを判定するるようにしてもよい。
また、請求項４に記載されているように、前記所定時間は、
ユーザによって任意に設定することができるようにしてもよい。
また、請求項５に記載されているように、前記編集手段は、
前記第１の動画データの後に前記第２の動画データを結合するようにしてもよい。
【手続補正４】
【補正対象書類名】明細書
【補正対象項目名】０００９
【補正方法】変更
【補正の内容】
【０００９】
また、例えば、請求項６に記載されているように、前記第１の動画データと前記第２の動画データとを比較するデータ比較手段と、
前記データ比較手段による比較結果に基づいて、前記第１の動画データと前記第２の動画データとが一致するか否かを判定する判定手段と、
を設け、
前記編集手段は、
前記判定手段により一致すると判定され、かつ、前記撮影間隔判定手段により所定時間内と判定された場合は、前記第１の動画データと前記第２の動画データとを結合して１つの動画データに編集するようにしてもよい。
また、請求項７に記載されているように、前記データ比較手段は、
前記第１の動画データの最終フレームデータと前記第２の動画データの開始フレームデータとを比較するようにしてもよい。
また、請求項８に記載されているように、前記第１取得手段は、第１の動画ファイルを取得し、
前記第２取得手段は、第２の動画ファイルを取得し、
前記撮影間隔判定手段は、前記第１の動画ファイルと前記第２の動画ファイルとの撮影間隔が所定時間内にあるか否かを判定し、
前記編集手段は、前記第１の動画ファイル内の動画データと前記第２の動画ファイル内の動画データとを結合して１つの動画ファイルに編集するようにしてもよい。
【手続補正５】
【補正対象書類名】明細書
【補正対象項目名】００１０
【補正方法】変更
【補正の内容】
【００１０】
また、例えば、請求項９に記載されているように、動画データを記録する記録媒体を備え、
前記第１取得手段及び前記第２取得手段は、
前記記録媒体に記録されている動画データの中から動画データを取得するようにしてもよい。
また、請求項１０に記載されているように、撮影対象物を撮影する撮像手段と、
該撮影手段によって撮影された動画データを記録媒体に記録する第１の記録手段と、を備え、
前記第１取得手段は、
前記第１の記録手段によって記録媒体に記録された動画データの中から動画データを取得し、
前記第２取得手段は、
前記撮像手段によって得られ、かつ、前記第１の記録手段によって前記記録媒体に記録されていない動画データを取得するようにしてもよい。
また、請求項１１に記載されているように、撮影対象物を撮影する撮像手段と、
該撮像手段によって撮影された動画データを記録媒体に記録する第１の記録手段と、を備え、
前記第１取得手段及び前記第２取得手段は、
前記撮像手段によって得られ、かつ、前記第１の記録手段によって前記記録媒体に記録されていない動画データの中から動画データを取得するようにしてもよい。
【手続補正６】
【補正対象書類名】明細書
【補正対象項目名】００１１
【補正方法】変更
【補正の内容】
【００１１】
また、請求項１２に記載されているように、前記撮像手段による動画撮影が終了してから所定時間が経過したか否かを判断する経過判断手段を設け、
該経過判断手段により所定時間が経過したと判断した場合には、
前記第１の記録手段は、
前記撮像手段で得られた動画データを前記記録媒体に記録するようにしてもよい。
また、請求項１３に記載されているように、前記編集手段によって編集された結合動画データを第２の記録手段によって前記記録媒体に記録するとともに、前記記録媒体から取得され、かつ、結合の対象となった編集前の動画データを該記録媒体から消去する消去手段を備えるようにしてもよい。
【手続補正７】
【補正対象書類名】明細書
【補正対象項目名】００１２
【補正方法】変更
【補正の内容】
【００１２】
請求項１４記載の発明によるプログラムは、第１の動画データを取得する処理と、
第２の動画データを取得する処理と、
前記第１の動画データと前記第２の動画データとの撮影間隔が所定時間内にあるか否かを判定する処理と、
この判定する処理により所定時間内にあると判定された場合には、前記第１の動画データと前記第２の動画データとを結合して１つの動画データに編集する処理と、
を含み、コンピュータにより動画像の処理を実行することを特徴とする。
【手続補正８】
【補正対象書類名】明細書
【補正対象項目名】００７９
【補正方法】変更
【補正の内容】
【００７９】
【発明の効果】
本願発明によれば、複数の動画データの撮影間隔が所定時間内と判断した場合には、複数の動画データを結合して１つの動画データに編集するので、自動的に連続性、関連性のある複数の動画データを１つの動画データに編集することができ、編集作業に伴う手間と時間を大幅に軽減することができる。
【手続補正９】
【補正対象書類名】明細書
【補正対象項目名】００８０
【補正方法】削除
【補正の内容】
【手続補正１０】
【補正対象書類名】明細書
【補正対象項目名】００８１
【補正方法】削除
【補正の内容】